(57)【特許請求の範囲】
【請求項１】
床面上に載置される脚部と、該脚部に支持される座と、前記脚部に支持され前記座の後方に位置される背凭れと、を備えた椅子の上部に設置される遮蔽部材であって、
前記背凭れの上部に取り付けられた状態において、前記背凭れの上部の後方側位置で前記背凭れの幅方向に略沿って延出する遮蔽用後壁と、該遮蔽用後壁の左右両側から前方に湾曲して延出する一対の遮蔽用側壁と、を備え、
前記遮蔽用後壁の左右方向と直交する断面が前方側に凸に曲がった曲がり断面形状とされていることを特徴とする遮蔽部材。
【請求項２】
前記遮蔽用後壁には、前記背凭れの上部に取り付けられる被取付部が設けられていることを特徴とする請求項１に記載の遮蔽部材。
【請求項３】
前記遮蔽用後壁の上下方向の曲がり断面形状の略中央部に前記被取付部が設けられ、
前記被取付部が、前記遮蔽用後壁の厚み方向に沿う方向で前記背凭れ側の取付部に締結固定されていることを特徴とする請求項２に記載の遮蔽部材。
【請求項４】
前記遮蔽用後壁と前記一対の遮蔽用側壁とは樹脂によって連続して形成され、
前記被取付部は、前記遮蔽用後壁を形成する樹脂の内部に金属製の支持板が埋設されて構成されていることを特徴とする請求項３に記載の遮蔽部材。
【請求項５】
前記背凭れは、背凭れの本体部の上部に、着座者の頭部を後方から支えるヘッドレストを有し、
前記遮蔽用後壁の被取付部は、前記ヘッドレストに対して取り付け可能とされていることを特徴とする請求項２〜４のいずれか１項に記載の遮蔽部材。
【請求項６】
床面上に載置される脚部と、該脚部に支持される座と、該座の後方側で前記脚部に支持される背凭れと、を備えた椅子において、
請求項１〜５のいずれか１項に記載の遮蔽部材が前記背凭れに設置されていることを特徴とする椅子。
【発明の詳細な説明】
【技術分野】
【０００１】
この発明は、不要な外部視界を遮蔽する遮蔽部材、及び、その遮蔽部材を備えた椅子に関するものである。
【背景技術】
【０００２】
オフィス等の執務環境においては、多数の人が比較的近接した状況で作業を行う。このような環境においては、近接した人の視線や動きが気になり、執務等の作業に集中しずらくなる。
このため、このような環境を改善するための家具が案出されている（例えば、特許文献１，２参照）。
【０００３】
特許文献１，２に記載の家具は、机等の天板付き家具であり、天板上には隣接する作業空間を仕切る仕切りパネルが立設され、その仕切りパネルによって作業者の視界から隣接する作業空間の動きを遮蔽するようになっている。
【先行技術文献】
【特許文献】
【０００４】
【特許文献１】特許第５４６３６０８号公報
【特許文献２】特許第３８２６６７８号公報
【発明の概要】
【発明が解決しようとする課題】
【０００５】
しかし、特許文献１，２に記載の天板付き家具は、隣接する作業空間を仕切る仕切りパネルが天板上に立設されるものであるため、例えば、作業者の着座する椅子の位置が天板から離れたり、椅子の向きが左右方向に動くと、隣接する作業空間や他の作業者等の様子が視界に入り、執務等の作業に集中しにくくなることが懸念される。
【０００６】
そこでこの発明は、椅子の移動位置等に拘わらず、不要な外部視界を安定して遮蔽することができる遮蔽部材、及び、椅子を提供しようとするものである。
【課題を解決するための手段】
【０００７】
この発明に係る遮蔽部材は、上記課題を解決するために、床面上に載置される脚部と、該脚部に支持される座と、前記脚部に支持され前記座の後方に位置される背凭れと、を備えた椅子の上部に設置される遮蔽部材であって、前記背凭れの上部に取り付けられた状態において、前記背凭れの上部の後方側位置で前記背凭れの幅方向に略沿って延出する遮蔽用後壁と、該遮蔽用後壁の左右両側から前方に湾曲して延出する一対の遮蔽用側壁と、を備え、前記遮蔽用後壁の左右方向と直交する断面が前方側に凸に曲がった曲がり断面形状とされている構成とした。
【０００８】
上記の構成により、着座者が座に座ると、着座者の頭部の後方が遮蔽部材の遮蔽用後壁によって覆われるとともに、着座者の頭部の側方が遮蔽部材の左右の遮蔽用側壁によって覆われる。このため、椅子の移動位置等に拘わらず、着座者の周囲の不要な外部視界が遮蔽部材によって遮蔽されることになる。
また、遮蔽部材は、遮蔽用後壁と左右の遮蔽用側壁とによって上面視が略Ｕ字状に形成され、遮蔽用後壁は、左右方向と直交する断面が前方側に凸に曲がった曲がり断面形状とされている。このため、遮蔽部材は、長手方向略中央の遮蔽用後壁を中心として、曲がり方向が相互に交差する方向に曲がった形状を持つことになり、全体の剛性が高まる。
【０００９】
前記遮蔽用後壁には、前記背凭れの上部に取り付けられる被取付部が設けられるようにしても良い。
この場合、遮蔽用後壁は、左右両側が上面視で前方側に向かって湾曲し、かつ、上下方向に沿う断面の形状が前方側に凸に曲がっているため、剛性が高くなっている。被取付部は、この剛性の高い遮蔽用後壁部分に設けられている。したがって、遮蔽部材が背凭れに取り付けられたときに、取り付け状態が堅牢に維持されることになる。
【００１０】
前記遮蔽用後壁の上下方向の曲がり断面形状の略中央部に前記被取付部が設けられ、前記被取付部が、前記遮蔽用後壁の厚み方向に沿う方向で前記背凭れ側の取付部に締結固定されるようにしても良い。
この場合、遮蔽用後壁の被取付部が背凭れ側の取付部に締結固定されると、締結荷重が遮蔽用後壁の上下方向の曲がり断面形状の略中央部に対して厚み方向に作用する。この結果、遮蔽用後壁が上下方向の曲がり断面形状を維持するように力を受け、遮蔽用後壁の剛性がより高まる。
【００１１】
前記遮蔽用後壁と前記一対の遮蔽用側壁とは樹脂によって連続して形成され、前記被取付部は、前記遮蔽用後壁を形成する樹脂の内部に金属製の支持板が埋設されて構成されるようにしても良い。
この場合、被取付部に締結荷重が作用すると、遮蔽用後壁の樹脂の内部に埋設された支持板が背凭れ方向に引き寄せられ、遮蔽用後壁の樹脂が上下方向の曲がり断面形状を維持する力を支持板から安定して受けるようになる。
【００１２】
前記背凭れは、背凭れの本体部の上部に、着座者の頭部を後方から支えるヘッドレストを有し、前記遮蔽用後壁の被取付部は、前記ヘッドレストに対して取り付け可能とされるようにしても良い。
この場合、遮蔽用後壁の被取付部が背凭れのヘッドレスト部分に取り付けられるため、遮蔽部材を、背凭れの本体部に連結するための長尺な連結部構造を別途設ける必要が無くなる。したがって、遮蔽部材の取付剛性を高く維持しつつ、構造を簡素化することができる。
【００１３】
この発明に係る椅子は、床面上に載置される脚部と、該脚部に支持される座と、該座の後方側で前記脚部に支持される背凭れと、を備えた椅子において、前記いずれかに記載の遮蔽部材が前記背凭れに設置されるようにした。
【発明の効果】
【００１４】
この発明によれば、座に着座した着座者の頭部の後方と左右の側方が、遮蔽用後壁と一対の遮蔽用側壁によって覆われるため、椅子の移動位置等に拘わらず、不要な外部視界を安定して遮蔽することができる。
また、この発明によれば、遮蔽用後壁と左右の遮蔽用側壁とによって上面視が略Ｕ字状に形成されるとともに、遮蔽用後壁の左右方向と直交する断面が前方側に凸に曲がった曲がり断面形状とされているため、曲がり方向が相互に交差する方向に曲がった形状によって全体の剛性を容易に高めることができる。したがって、この発明に係る遮蔽部材を採用した場合には、内部に配置する強固なフレーム構造を廃止、若しくは、簡素化できるため、製造コストの低減と軽量化を図ることができる。
【図面の簡単な説明】
【００１５】
【図１】この発明の一実施形態に係る椅子の正面図である。
【図２】この発明の一実施形態に係る椅子の左側面図である。
【図３】この発明の一実施形態に係る椅子の背面図である。
【図４】この発明の一実施形態に係る椅子の上面図である。
【図５】この発明の一実施形態に係る椅子の図３のＶ−Ｖ線に沿う断面図である。
【図６】この発明の一実施形態に係る椅子の構成部品の斜視図である。
【図７】この発明の一実施形態に係る遮蔽部材の取付部品の斜視図である。
【図８】この発明の他の実施形態に係る椅子の図５に対応する断面図である。
【発明を実施するための形態】
【００１６】
以下、この発明の一実施形態を図面に基づいて説明する。なお、以下の説明においては、椅子１に正規姿勢で着座した人の前方を「前」、それと逆側を「後」と呼ぶものとする。また、「上」，「下」と「左」，「右」については、椅子１に正規姿勢で着座した人の上方を「上」、それと逆側を「下」と呼び、椅子に正規姿勢で着座した人の左側方を「左」、それと逆側を「右」と呼ぶものとする。また、図中矢印ＦＲは前方を指し、矢印ＵＰは上方を、矢印ＬＨは左側方をそれぞれ指すものとする。
【００１７】
図１は、この実施形態に係る椅子１を正面から見た図であり、図２は、椅子１を左側方から見た図である。また、図３は、椅子１を背面から見た図であり、図４は、椅子１を上面から見た図である。
これらの図に示すように、この実施形態に係る椅子１は、床面上に載置される脚部１０と、脚部１０の上端に設置されるボックス状の支基１１と、支基１１の上面側に取り付けられて着座者ｍの臀部を支持する座１２と、支基１１の後部に取り付けられて着座者ｍの背部を支持する背凭れ１３と、座１２の下面側の左右の両側部から座１２の上方側に延出し、着座者ｍの肘や腕先が載せ置かれる肘掛け１５と、を備えている。さらに、椅子１は、背凭れ１３の本体部の上部に取り付けられて、着座者ｍの頭部ｈを後方から支持するヘッドレスト１６と、ヘッドレスト１６を介して背凭れ１３の上部に取り付けられて、着座者ｍの頭部ｈの後方側と左右の側方を覆う遮蔽部材１７と、を備えている。
【００１８】
脚部１０は、キャスタ１８ａ付きの多岐脚１８と、多岐脚１８の中央部より起立して昇降機構であるガススプリングを内蔵する脚柱１９と、を備え、脚柱１９の上端部に支基１１が取り付けられている。支基１１には、脚柱１９の昇降調整機構と背凭れ１３の傾動調整機構が内蔵されている。なお、脚柱１９の軸心Ａ（図２参照）の位置は、座１２の前後方向における中央位置か、或いは、その中央位置よりもやや後方位置であることが望ましい。
【００１９】
背凭れ１３は、着座者ｍの背部から荷重を受ける荷重受けブロック２０と、荷重受けブロック２０の背部に取り付けられ、着座者ｍの荷重を支持する強度を有する背凭れフレーム２１と、を備えている。荷重受けブロック２０は、正面視が略矩形状の樹脂製の背板２０ａ（図３参照）を有し、背板２０ａの前面と周縁部とが表皮材２０ｂによって覆われている。また、荷重受けブロック２０は、着座者ｍの腰部に対応する位置（下から三分の一程度上方に上がった位置）が最も前方に膨出するように、上下方向に沿って湾曲して形成されている。荷重受けブロック２０のこの部分は、着座者ｍの腰部位置に向かって前方に膨出して着座者ｍの腰部を支持する膨出部２０ｃを構成している。
【００２０】
膨出部２０ｃの最前突出位置Ｐは、図２に示すように、脚柱１９の軸心Ａの位置よりも後方に位置している。また、荷重受けブロック２０（背凭れ１３）の前面は、膨出部２０ｃよりも上方側が後傾するように、側面視で前方に凸に湾曲して形成されている。
【００２１】
背凭れフレーム２１は、正面視が下向きの略五角形状の枠状フレーム部２１Ａと、枠状フレーム部２１Ａの下端から下方に延出した後に前方側に湾曲して延びる連結フレーム部２１Ｂと、を有している。連結フレーム部２１Ｂの端部は、図示しない連結ステーを介して支基１１内の傾動機構に連結されている。
【００２２】
背凭れフレーム２１の枠状フレーム部２１Ａは、荷重受けブロック２０の後方側に配置され、上半部の左右の側辺部２１Ａ−ｓ，２１Ａ−ｓと下端側の縁部とが荷重受けブロック２０に対して連結されている。左右の側辺部２１Ａ−ｓ，２１Ａ−ｓの上端部同士は、背凭れフレーム２１の上部側の横梁を成す上辺部２１Ａ−ｕによって連結されている。
上辺部２１Ａ−ｕは、側辺部２１Ａ−ｓ，２１Ａ−ｓに連結される左右の端部に対し、中央領域が後方側に凹状に湾曲している。上辺部２１Ａ−ｕの幅方向の中央領域の後面には、ヘッドレスト１６等の付加機能部品を取り付けるための部品取付部２３が設けられている。部品取付部２３には、詳細な図示は省略するが付加機能部品の取付基部が当接する座面と、その取付基部を締結固定するためのボルト締結部が設けられている。この実施形態では、部品取付部２３にはヘッドレスト１６が取り付けられている。
【００２３】
図５は、図３のＶ−Ｖ断面に対応するヘッドレスト１６と遮蔽部材１７の断面図であり、図６は、ヘッドレスト１６と遮蔽部材１７を分離して示した斜視図である。また、図７は、遮蔽部材１７をヘッドレスト１６に連結するため連結金具５１の斜視図である。
ヘッドレスト１６は、図５に示すように、硬質樹脂から成り強度部材として機能する荷重支持板２６と、荷重支持板２６の前面側に配置されるクッション材２７と、荷重支持板２６とクッション材２７の外側を覆う図示しない表皮材と、を備えている。荷重支持板２６の下端には、下方に延出する取付基部２６ａが設けられている。取付基部２６ａは、背凭れフレーム２１の部品取付部２３の後部側に重ねられ、部品取付部２３にボルト締結されるようになっている。
【００２４】
荷重支持板２６の前面は、上下方向の略中央部が前方に最大に膨出するように湾曲して形成されている。荷重支持板２６の後面には、補強用の複数のリブ２８と４本の結合用ボス部２９が一体に形成されている。結合用ボス部２９は、荷重支持板２６の後面の上下左右の中心位置を取り囲む離間した４か所に突設されている。この実施形態の場合、リブ２８と結合用ボス部２９は、いずれも後部上方側に向かって傾斜している。各結合用ボス部２９には、軸方向に沿うように金属製の雌形タイプの螺合部材３０が埋設されている。
【００２５】
荷重支持板２６の後面に突設された結合用ボス部２９には、カラー３１を介して連結金具５１がボルト３２によって締結固定されている。この実施形態の場合、連結金具５１は左右一対設けられている。各連結金具５１は、金属板を屈曲させて形成され、カラー３１を介してヘッドレスト１６側に締結される前部側締結フランジ５１ａと、遮蔽部材側に締結される後部側締結フランジ５１ｂとを備えている。前部側締結フランジ５１ａと後部側締結フランジ５１ｂとは、それぞれ異なる方向を指向するように形成されている。なお、この実施形態の場合、カラー３１は、連結金具５１の前部側締結フランジ５１ａを貫通した状態で、その前部側締結フランジ５１ａに固定されている。また、連結金具５１の後部側締結フランジ５１ｂには、ボルト挿通孔（符号省略）が形成されており、後部側締結フランジ５１ｂのボルト挿通孔に臨む前側の縁部にはナット３３が溶接固定されている。このナット３３には、連結金具５１を遮蔽部材１７に固定するためのボルト３４が螺合される。
【００２６】
遮蔽部材１７は、上面視が略Ｕ字状に形成されており、背凭れフレーム２１の上部に取り付けられた状態において、背凭れ１３の上部の後方側位置で背凭れ１３の幅方向に略沿って延出する遮蔽用後壁１７Ａと、遮蔽用後壁１７Ａの左右両側から前方に湾曲して延出する左右一対の遮蔽用側壁１７Ｂと、を備えている。遮蔽用後壁１７Ａは、正規姿勢で椅子１に着座した着座者ｍの頭部ｈの後方側を覆い、左右の遮蔽用側壁１７Ｂは、正規姿勢で椅子１に着座した着座者ｍの頭部ｈの左右の側方を覆う。
遮蔽部材１７は、遮蔽用後壁１７Ａと遮蔽用側壁１７Ｂを含むほぼ全域が吸音性を有する樹脂材料によって一体に形成されている。遮蔽部材１７を形成する樹脂材料としては、例えば、樹脂繊維を主原料とするウレタン等を用いることができる。
【００２７】
遮蔽用後壁１７Ａは、図５に示すように、上下方向に沿う断面が前方側に凸の湾曲形状に形成されている。この実施形態においては、この湾曲した縦断面形状を曲がり断面形状と呼ぶ。遮蔽用後壁１７Ａの曲がり断面形状は、上下方向の略中央部が最も前方側に膨出するように形成されている。遮蔽用後壁１７Ａの略中央領域には、金属製の二枚の支持板３５が埋設されている。二枚の支持板３５は、いずれも横長の矩形状に形成され、上下に離間して遮蔽用後壁１７Ａの略中央領域の樹脂内に埋設されている。各支持板３５の左右に離間した位置にはボルト挿通孔３５ａが形成されている。この各支持板３５は、支持板３５の前後を覆う遮蔽用後壁１７Ａの樹脂部材とともに、遮蔽部材１７の被取付部１７Ａ−ａを構成している。支持板３５の前後を覆う遮蔽用後壁１７Ａの樹脂部材には、支持板３５の各ボルト挿通孔３５ａと連通するようにボルト挿通孔１７Ａ−１が形成されている。
【００２８】
遮蔽用後壁１７Ａは、被取付部１７Ａ−ａの前面側に一対の連結金具５１の後部側締結フランジ５１ｂが重ねられ、被取付部１７Ａ−ａと連結金具５１の後部側締結フランジ５１ｂとが、ボルト３４とナット３３による締結によって、相互に固定されるようになっている。したがって、遮蔽用後壁１７Ａの上下方向の略中央に配置されている被取付部１７Ａ−ａは、遮蔽用後壁１７Ａの厚み方向に沿う方向で連結金具５１に対して締結固定される。
【００２９】
左右の遮蔽用側壁１７Ｂは、遮蔽部材１７がヘッドレスト１６を介して背凭れフレーム２１の上部に取り付けられた状態において、背凭れ１３の幅方向の両端部の近傍から前方に延出している。また、遮蔽用側壁１７Ｂは、図２に示すように、遮蔽部材１７が背凭れフレーム２１の上部に取り付けられた状態において、脚部１０の接地部の中心位置（脚柱１９の軸心Ａの位置）よりも前方側まで延出している。したがって、正規姿勢で椅子１に着座した着座者ｍの頭部ｈ（耳及び目の高さ位置）の左右の側方は、左右方向に充分な離間幅をもち、なおかつ、前後方向に充分な長さをもって遮蔽用側壁１７Ｂによって覆われる。
【００３０】
また、図２に示すように、左右の遮蔽用側壁１７Ｂの上辺は、遮蔽用後壁１７Ａと連結される基部側からほぼ水平に前方に延出しているが、遮蔽用側壁１７Ｂの下辺は、遮蔽用後壁１７Ａと連接される基部側が若干斜め下方に延出した後に上方側に大きく湾曲して前方に延出している。したがって、遮蔽用側壁１７Ｂの先端側の下面は基部側の下面に対して上方側に凹状に窪んでいる。このため、遮蔽用側壁１７Ｂの下辺は、凹状の窪み部４０によって着座者ｍの肩部が接触するのを回避することができる。なお、左右の遮蔽用側壁１７Ｂは、遮蔽部材１７が背凭れ１３に設置された状態において、これらの下端部が背凭れ１３の上端部と略同一高さに位置されている。
【００３１】
以上のように、この実施形態に係る遮蔽部材１７は、椅子１の背凭れ１３の上部に取り付けられた状態において、直座者ｍの頭部ｈの後方側を覆う遮蔽用後壁１７Ａと、着座者ｍの頭部ｈの左右の側方を覆う遮蔽用側壁１７Ｂと、を有している。このため、この実施形態に係る遮蔽部材１７を採用した場合には、椅子１の移動位置等に拘わらず、椅子１に着座した着座者ｍの不要な外部視界を安定して遮蔽することができる。したがって、椅子１に着座した着座者ｍは、執務等の作業に集中し易くなる。
【００３２】
さらに、この実施形態に係る遮蔽部材１７においては、遮蔽用後壁１７Ａと左右の遮蔽用側壁１７Ｂとによって上面視が略Ｕ字状に形成され、左右方向と直交する断面の形状が前方に凸に曲がった曲がり断面形状とされている。このため、遮蔽部材１７は、長手方向略中央の遮蔽用後壁１７Ａを中心として、曲がり方向が相互に交差する方向に曲がった形状を持つことになり、全体の剛性が高くなっている。したがって、この実施形態に係る遮蔽部材１７を採用した場合には、遮蔽用後壁１７Ａや遮蔽用側壁１７Ｂの内部に配置する強固なフレーム構造を廃止して、製造コストの低減と軽量化を図ることができる。
【００３３】
なお、この実施形態においては、遮蔽用後壁１７Ａや遮蔽用側壁１７Ｂの内部に強度維持用のフレームを配置していないが、強度維持用のフレームは遮蔽用後壁１７Ａや遮蔽用側壁１７Ｂの内部に配置するようにしても良い。この場合、強度維持用のフレームを配置するにしても、フレームを小型で軽量化が可能な構造とすることができる。
また、この実施形態に係る遮蔽部材１７においては、遮蔽用後壁１７Ａの上下方向に沿う断面の形状が前方に凸に曲がった曲がり断面形状とされているが、曲がり断面形状は後方に凸に曲がった曲がり断面形状としても良い。また、曲がり断面形状の曲がりは円弧状に反った形状に限らず、屈曲して曲がった形状であっても良い。
【００３４】
また、この実施形態に係る遮蔽部材１７では、背凭れ１３の上部（ヘッドレスト１６）に取り付けられる被取付部１７Ａ−ａが、上述のように相互に交差する複数の曲がり形状によって剛性を高められた遮蔽用後壁１７Ａに設けられている。したがって、遮蔽部材１７が背凭れ１３の上部（ヘッドレスト１６）に取り付けられたときに、取り付け状態が堅牢に維持されることになる。
【００３５】
さらに、この実施形態に係る遮蔽部材１７においては、遮蔽用後壁１７Ａの上下方向の曲がり断面形状の略中央部に被取付部１７Ａ−ａが設けられ、その被取付部１７Ａ−ａが、遮蔽用後壁の厚み方向に沿う方向で連結金具５１の後部側締結フランジ５１ｂ（背凭れ１３側の取付部）に締結固定されるようになっている。このため、遮蔽用後壁１７Ａの被取付部１７Ａ−ａが連結金具５１に締結固定されると、ボルト３４とナット３３による締結荷重が、遮蔽用後壁１７Ａの曲がり断面形状の略中央部に対して肉厚方向の力として作用する。したがって、こうしてボルト３４とナット３３による締め込みが進むと、遮蔽用後壁１７Ａの曲がり断面形状が反り状態を維持するように力を受け、遮蔽用後壁１７Ａの剛性をより高めることが可能になる。
【００３６】
特に、この実施形態に係る遮蔽部材１７の場合、遮蔽用後壁１７Ａと左右の遮蔽用側壁１７Ｂが樹脂によって連続して形成され、被取付部１７Ａ−ａは、遮蔽用後壁１７Ａの樹脂の内部に金属製の支持板３５が埋設されて構成されている。このため、遮蔽部材１７を連結金具５１に締結固定するときには、その締結荷重が、被取付部１７Ａ−ａにおいて金属製の支持板３５を連結金具５１方向に引き寄せるように作用する。したがって、この構造を採用した場合には、遮蔽用後壁１７Ａの樹脂が曲がり断面形状を維持する力を支持板３５から安定して受けるため、遮蔽用後壁１７Ａの形状をより高い剛性をもって維持することができる。
【００３７】
また、この実施形態に係る遮蔽部材１７においては、遮蔽用後壁１７Ａの被取付部１７Ａ−ａが、背凭れ１３の本体部ではなく、背凭れ１３の本体部から上方に延出するヘッドレスト１６に取り付けられるようになっている。このため、遮蔽部材１７を背凭れ１３の本体部の上部に直接連結するための長尺な連結部構造を別途設ける必要がない。したがって、この構造を採用することにより、遮蔽部材１７の取付剛性を高く維持しつつ、構造を簡素化することができる。
【００３８】
図８は、他の実施形態に係るヘッドレスト１１６と遮蔽部材１７の取付部の縦断面を示す図である。
この実施形態の遮蔽部材１７は、上記の実施形態と同様とされている。ヘッドレスト１１６は、荷重支持板１２６とクッション材１２７を有するヘッドレスト本体４５が、ガイド板４６に昇降調整可能に支持された構造とされている。ガイド板４６の下端には取付基部４６ａが一体に設けられ、その取付基部４６ａが背凭れの上部の部品取付部に締結固定されるようになっている。
【００３９】
この実施形態の場合、連結金具５１の前部側締結フランジ５１ａがボルト３２とカラー３１を介してガイド板４６に締結固定されている。ガイド板４６には、雌形タイプの螺合部材３０が埋設され、その螺合部材３０に対してボルト３２が締結されるようになっている。また、ヘッドレスト本体４５の背部に配置される荷重支持板１２６には、上下方向に沿って延出するスリット４７が形成されている。連結金具５１をガイド板４６に固定するためのボルト３２とカラー３１は、荷重支持板１２６のスリット４７に挿通されている。スリット４７は、ヘッドレスト本体４５がガイド板４６に対して昇降するときにヘッドレスト本体４５がカラー３１と干渉するのを回避する。
したがって、この実施形態のにおいては、遮蔽部材１７が連結金具５１を介してヘッドレスト１１６のガイド板４６に取り付けられた状態においても、ヘッドレスト本体４５を背凭れに対して昇降調整することができる。
【００４０】
なお、この発明は上記の実施形態に限定されるものではなく、その要旨を逸脱しない範囲で種々の設計変更が可能である。例えば、上記の各実施形態においては、遮蔽部材１７がヘッドレスト１６，１１６を介して背凭れ１３の本体部に取り付けられているが、遮蔽部材１７は背凭れ１３の本体部に直接固定するようにしても良い。
また、背凭れと座を、側面視が略Ｌ字形状をなすように一体的に連続して形成し、その背凭れと座の一体の構造体の上部に、遮蔽部材を、直接、若しくは、ヘッドレストを介して取り付けるようにしても良い。
【符号の説明】
【００４１】
１  椅子
１０  脚部
１２  座
１３  背凭れ
１６，１１６  ヘッドレスト
１７  遮蔽部材
１７Ａ  遮蔽用後壁
１７Ａ−ａ  被取付部
１７Ｂ  遮蔽用側壁
３５  支持板
【図１】
0006620356.tif 000002
【図２】
0006620356.tif 000003
【図３】
0006620356.tif 000004
【図４】
0006620356.tif 000005
【図５】
0006620356.tif 000006
【図６】
0006620356.tif 000007
【図７】
0006620356.tif 000008
【図８】
0006620356.tif 000009